(57)【特許請求の範囲】
【請求項１】
ダイバーシチハンドオーバ中に、第１の基地局及び第２の基地局からの信号を受信する移動局において、前記第１の基地局及び前記第２の基地局における前記信号の送信電力を制御する送信電力制御方法であって、
前記第１の基地局から第１の信号及び第２の信号を受信し、前記第２の基地局から第３の信号を受信する第１工程と、
前記第１の信号又は前記第２の信号の受信品質を測定する第２工程と、
前記第１の信号又は前記第２の信号の受信品質の測定結果に基づいて、前記第３の信号の受信品質に基づくことなく、前記第１の基地局における前記第1及び第２の信号の送信電力及び前記第２の基地局における前記第３の信号の送信電力を制御するための制御コマンドを生成する第３工程と、
前記第１の基地局及び前記第２の基地局に、前記制御コマンドを送信する第４工程とを有することを特徴とする送信電力制御方法。
【請求項２】
前記第１工程において、前記第２の信号を間欠的に受信し、
前記第２工程において、前記第２の信号を受信している期間は、前記第１の信号又は前記第２の信号の受信品質を測定し、前記第２の信号を受信していない期間は、前記第１の信号及び前記第３の信号をダイバーシチ合成した後の信号の受信品質を測定することを特徴とする請求項１に記載の送信電力制御方法。
【請求項３】
前記第１の信号上で、前記移動局宛てに前記第２の信号が送信されていることを通知するシグナリングの有無を監視する工程を有し、
前記第２工程において、前記シグナリングの有無に応じて、前記第２の信号を受信している期間であるか否かを判定することを特徴とする請求項２に記載の送信電力制御方法。
【請求項４】
前記第２工程において、前記第２の信号を受信している期間であるか否かに応じて、前記第１の信号又は前記第２の信号に対するフィンガ割り当てと、前記第１の信号及び第３の信号に対するフィンガ割り当てとを切り替えることにより、ＲＡＫＥ受信を用いて前記受信品質を測定することを特徴とする請求項２又は３に記載の送信電力制御方法。
【請求項５】
前記第１の信号及び前記第３の信号は、移動局ごとに設けられている個別物理チャネル（ＤＣＨ）であり、前記第２の信号は、複数の移動局により時分割で共有されている共通物理チャネル（ＳＣＨ）であることを特徴とする請求項１乃至４のいずれか一項に記載の送信電力制御方法。
【請求項６】
ダイバーシチハンドオーバ中に、第１の基地局及び第２の基地局からの信号を受信する移動局であって、
前記第１の基地局から第１の信号及び第２の信号を受信し、前記第２の基地局から第３の信号を受信する受信手段と、
前記第１の信号又は前記第２の信号の受信品質を測定する受信品質測定手段と、
前記第１の信号又は前記第２の信号の受信品質の測定結果に基づいて、前記第３の信号の受信品質に基づくことなく、前記第１の基地局における前記第1及び第２の信号の送信電力及び前記第２の基地局における前記第３の信号の送信電力を制御するための制御コマンドを生成する制御コマンド生成手段と、
前記第１の基地局及び前記第２の基地局に、前記制御コマンドを送信する送信手段とを具備することを特徴とする移動局。
【請求項７】
前記受信手段は、前記第２の信号を間欠的に受信し、
前記受信品質測定手段は、前記第２の信号を受信している期間は、前記第１の信号又は前記第２の信号の受信品質を測定し、前記第２の信号を受信していない期間は、前記第１の信号及び前記第３の信号をダイバーシチ合成した後の信号の受信品質を測定することを特徴とする請求項６に記載の移動局。
【請求項８】
前記第１の信号上で、前記移動局宛てに前記第２の信号が送信されていることを通知するシグナリングの有無を監視する監視手段を具備し、  前記受信品質測定手段は、前記シグナリングの有無に応じて、前記第２の信号を受信している期間であるか否かを判定することを特徴とする請求項７に記載の移動局。
【請求項９】
前記受信品質測定手段は、前記第２の信号を受信している期間であるか否かに応じて、前記第１の信号又は前記第２の信号に対するフィンガ割り当てと、前記第１の信号及び第３の信号に対するフィンガ割り当てとを切り替えることにより、ＲＡＫＥ受信を用いて前記受信品質を測定することを特徴とする請求項７又は８に記載の移動局。
【請求項１０】
前記第１の信号及び前記第３の信号は、移動局ごとに設けられている個別物理チャネル（ＤＣＨ）であり、前記第２の信号は、複数の移動局により時分割で共有されている共通物理チャネル（ＳＣＨ）であることを特徴とする請求項６乃至９のいずれか一項に記載の移動局。
【発明の詳細な説明】
【０００１】
【発明の属する技術分野】
本発明は、移動通信システムにおいて、移動局がダイバーシチハンドオーバ中である場合に下り回線の送信電力制御を行う送信電力制御方法、及びこの方法に用いて好適な移動局に関する。
【０００２】
【従来の技術】
図１に、現在普及している携帯電話のような移動通信システムの構成を示す。図１に示す移動通信システムでは、サービスエリア全体を「セル１乃至５」と呼ばれる比較的小さな無線ゾーンに分割してサービスを行っている。このような移動通信システムは、各々がセル１乃至５をカバーする複数の基地局１０１乃至１０５と、これら基地局１０１乃至１０５との間に無線チャネルを設定して通信を行う移動局３０１乃至３０５により構成されている。
【０００３】
このような移動通信システムにおいて、基地局１０１乃至１０５から送信された電波は、空間を伝搬する際に減衰し、移動局３０１乃至３０５に到達する。電波の減衰量は、基地局１０１乃至１０５と移動局３０１乃至３０５との間の距離のみでなく、基地局１０１乃至１０５及び移動局３０１乃至３０５の周囲の地形や地物の影響を受ける。従って、基地局１０１乃至１０５による「電波の送信電力（以下、送信電力とする）」が一定の場合、移動局３０１乃至３０５の移動に伴い、移動局３０１乃至３０５における「電波の受信電力（以下、受信電力とする）は激しく変動する。このような変動は「フェージング」と呼ばれる。
【０００４】
従来、フェージング環境下においても通信品質を一定に保つ技術として、「電波の受信品質（以下、受信品質とする）」に基づく帰還形の送信電力制御方法（従来の第１の送信電力制御方法）が知られている。具体的には、従来の第１の送信電力制御方法は、フェージング等による伝搬レベルの変動に追従するように、受信側で、受信品質を測定して目標値と比較し、この比較結果を無線フレームやタイムスロット等の十分短い周期で送信側に帰還し、送信側で、この比較結果に基づいて送信電力を調整するものである。
【０００５】
この第１の送信電力制御方法は、フェージングの影響を緩和して受信品質を一定に保つのみでなく、サービスエリア内の移動局３０１乃至３０５の場所による受信品質の変動を緩和し、送信電力を最低限に抑え、電力利用効率を向上させるという点においても有効である。
【０００６】
ここで、基準とする受信品質としては、「信号対干渉電力比（Ｓｉｇｎａｌ  ｔｏ  Ｉｎｔｅｒｆｅｒｅｎｃｅ  Ｐｏｗｅｒ  Ｒａｔｉｏ：ＳＩＲ）」、「受信電力」、「ＣＲＣ（Ｃｙｃｌｉｃ  Ｒｅｄｕｎｄａｎｃｙ  Ｃｈｅｃｋ）による誤り検出結果」等を利用することができる。
【０００７】
また、一般に、移動通信システムでは、移動局３０１乃至３０５の移動に伴い、無線チャネルを設定する基地局１０１乃至１０５を適宜切り替えている。これは「ハンドオーバ」と呼ばれる。
【０００８】
ハンドオーバには、移動局３０１乃至３０５が、セル１乃至５を跨いで移動する際に、無線チャネルを設定する基地局１０１乃至１０５を瞬間的に切り替え、常に単一の基地局１０１乃至１０５とのみ無線チャネルを設定する「ハードハンドオーバ（Ｈａｒｄ  Ｈａｎｄｏｖｅｒ：ＨＨＯ）方式」と、移動局３０１乃至３０５が、セル１乃至５を跨いで移動する際、通信中の基地局１０１乃至１０５の無線チャネルを開放する前に、新たな基地局１０１乃至１０５との間で無線チャネルを設定し、一時的に複数の基地局１０１乃至１０５と同時に通信する「ダイバーシチハンドオーバ（Ｄｉｖｅｒｓｉｔｙ  Ｈａｎｄｏｖｅｒ：ＤＨＯ）方式」とがある。
【０００９】
ＤＨＯ方式は、ＨＨＯ方式と比べて基地局１０１乃至１０５の切り替え時の瞬断が生じない等の利点を有している。
【００１０】
また、移動局３０１乃至３０５が、セル１乃至５の端に位置する際に、単一の基地局１０１乃至１０５と通信していると、受信品質を一定に保つために、基地局１０１乃至１０５側で、大きな送信電力を必要とするという問題点がある。また、かかる場合、移動局３０１乃至３０５側で、フェージングによる伝播レベルの落ち込みに対応できるだけの十分な受信電力が得られない可能性があるという問題点がある。しかし、ＤＨＯ方式を適用すると、移動局３０１乃至３０５が、複数の基地局１０１乃至１０５から送信された電波（信号）を同時に受信し合成することができるため、上述の問題点は解決される。
【００１１】
また、フェージングは、基地局１０１乃至１０５毎に異なるため、ＤＨＯ方式によって、フェージングによる伝播レベルの落ち込みを複数の基地局１０１乃至１０５で補い合うことができ、通信品質の安定化、基地局１０１乃至１０５における送信電力の低減等の効果を得ることができる。
【００１２】
ところで、移動通信における伝送方式には、各ユーザに専用の「個別物理チャネル（Ｄｅｄｉｃａｔｅｄ  Ｃｈａｎｎｅｌ：ＤＣＨ）」を設定する「Ｄｅｄｉｃａｔｅｄ方式」と、伝送容量が大きい「共通物理チャネル（Ｓｈａｒｅｄ  Ｃｈａｎｎｅｌ：ＳＣＨ）」を１本（或いは複数）用意し、複数のユーザで「ＳＣＨ」をスケジューリングによって時分割で共有する「Ｓｈａｒｅｄ方式」がある。
【００１３】
Ｄｅｄｉｃａｔｅｄ方式は、各ユーザの伝送速度は保証されるという利点を有するが、各ユーザの伝送速度が低く抑えられ、同時に通信可能なユーザの数だけハードウェア資源（無線チャネル）を必要とするという欠点を有する。一方、Ｓｈａｒｅｄ方式は、各ユーザの伝送速度は保証されないという欠点を有するが、同時に通信するユーザ数が少ない場合には、各ユーザが高速な伝送速度を達成でき、また、ハードウェア資源（無線チャネル）がＳＣＨの１本分で済むという利点を有する。
【００１４】
Ｄｅｄｉｃａｔｅｄ方式は、音声通信等のように、伝送情報量の時間変動が少なく、伝送遅延への要求が厳しく、常に一定の通信帯域が必要な通信に向いている。一方、Ｓｈａｒｅｄ方式は、電子メールやインターネット接続等のように、伝送情報量が時間的に大きく変動し、伝送遅延に対する要求が比較的厳しくない断続的な通信に向いている。
【００１５】
Ｓｈａｒｅｄ方式では、ＳＣＨ上に特定の受信機に宛てられた情報が有る場合に、この受信機に対してその旨を「通知（シグナリング）」する。シグナリングは、移動局３０１乃至３０５毎に専用のＤＣＨを設定して行っても良いし、シグナリング用のＳＣＨを用意しても行っても良い。
【００１６】
また、特定の移動局３０１乃至３０５に対してＳＣＨ上で送信される情報が、複数ユーザでＳＣＨを共有している関係上、間欠的となり得るため、ＳＣＨの送信電力を制御する場合、ＳＣＨの受信品質を用いて、従来の第１の送信電力制御方法を適用すると、この送信電力制御が間欠的となり不具合を生じるという問題点がある。
【００１７】
この問題を解決するために、ユーザ宛てにＳＣＨが送信される可能性がある期間中、該ユーザに対してＤＣＨを付随的に設定し、ＤＣＨの受信品質を用いて連続的に従来の第１の送信電力制御方法を適用し、ＳＣＨの送信がある場合は、ＤＣＨの送信電力にＳＣＨの送信電力をあるオフセットで連動させるという「第２の送信電力制御方法」が考えられる。
【００１８】
この第２の送信電力制御方法によれば、ＤＣＨの送信電力にＳＣＨの送信電力を連動させることで、間接的にＳＣＨの送信電力を制御することができる。この様子を図８に示す。
【００１９】
図８では、フェージング等の伝搬レベルの変動（図８（ａ））に対して、「ＤＣＨ（物理チャネルＡ）」の送信電力（図８（Ｂ））が、ほぼ上下反転した形状となっており、結果として「ＤＣＨ（物理チャネルＡ）」の受信品質（図８（ｃ））が一定となっている。すなわち、図８では、「ＳＣＨ（物理チャネルＢ）」の伝搬レベルの変動（図８（ａ））が「ＤＣＨ（物理チャネルＡ）の伝播レベルの変動」と同様であるため、「ＤＣＨ（物理チャネルＡ）」の送信電力（図８（ｂ））に「ＳＣＨ（物理チャネルＢ）」の送信電力（図８（ｂ））を連動させれば「ＳＣＨ（物理チャネルＢ）」の受信品質（図８（ｃ））も一定となる。
【００２０】
なお、このような従来の第２の送信電力制御方法は、ＤＣＨ上で音声通信などを行っている間に、ＳＣＨで電子メールを受信するなど、同一移動局３０１乃至３０５で同時に複数の通信を行うマルチコールに対しても対応できる。
【００２１】
ここで、ＤＨＯ方式の適用を考えた場合、Ｓｈａｒｅｄ方式では、基地局１０１乃至１０５間で、スケジューリングを調整する必要が生じるため、ネットワークの制御負荷が増大してしまう。また、携帯電話システムのように、基地局１０１乃至１０５数が多く、セル１乃至５が連続的な移動通信システムでは、扱うユーザ（移動局３０１乃至３０５）が異なる複数の基地局１０１乃至１０５間で、スケジューリングを調整して、同一ユーザ（移動局３０１乃至３０５）への送信タイミングを揃えるのは困難である。したがって、一般的に、Ｓｈａｒｅｄ方式には、ＨＨＯ方式を適用する方が簡潔である。
【００２２】
しかしながら、ハンドオーバ時の無瞬断や、ＤＣＨの品質安定化、送信電力の低減効果を期待して、ＤＣＨにＤＨＯ方式を適用することは有効である。ある移動局３０１乃至３０５が、ＤＣＨを用いてＤＨＯ中である場合は、このＤＨＯに寄与する基地局１０１乃至１０５の何れか一つが、当該移動局３０１乃至３０５にＳＣＨを送信すれば良い。
【００２３】
このように、移動通信システムにおいて、移動局３０１乃至３０５が、特定の物理チャネルＡすなわち第１の信号（上述の例ではＤＣＨ）を用いて、ＤＨＯ中である場合に、別の物理チャネルＢすなわち第２の信号（上述の例ではＳＣＨ）を用いて同時に通信を行う方法がある。
【００２４】
また、上述のＤＣＨとＳＣＨの例のように、物理チャネルＢを送信する基地局群Ｂ（例えば、３０１）は、物理チャネルＡを送信する基地局群Ａ（例えば、３０１乃至３０５）の部分集合であるが、基地局群Ａと基地局群Ｂと一致しない場合がある。
【００２５】
従来の第２の送信電力制御方法では、このような場合、ダイバーシチ合成後の物理チャネルＡの受信品質測定結果に基づき、物理チャネルＡと物理チャネルＢの送信電力を同時に制御していた。すなわち、従来の第２の送信電力制御方法では、ダイバーシチ合成後の物理チャネルＡの受信品質測定結果に基づき、物理チャネルＡの送信電力を制御し、物理チャネルＡの送信電力に連動させることで、物理チャネルＢの送信電力を間接的に制御していた。
【００２６】
【発明が解決しようとする課題】
しかしながら、従来の第２の送信電力制御方式では、ダイバーシチ合成後の物理チャネルＡの受信品質は一定に保たれるものの、物理チャネルＢの受信品質を一定に保つことはできない。図９に一例を示す。
【００２７】
図９は、物理チャネルＡ（ＤＣＨ）を用いて基地局１０１と基地局１０２の二局間でＤＨＯ中である移動局３０２に対して、基地局１０１から物理チャネルＢ（ＳＣＨ）を送信した場合の例である（図１参照）。基地局１０１の伝搬レベル（図９（ａ））と基地局１０２の伝搬レベル（図９（ｂ））は、各々独立のフェージングによって変動している。
【００２８】
移動局３０２では、両基地局１０１、１０２からの「物理チャネルＡ（ＤＣＨ）」の受信信号を「ダイバーシチ合成」し、ダイバーシチ合成後の受信信号品質が一定となるように、両基地局１０１、１０２の「物理チャネルＡ（ＤＣＨ）」の送信電力を制御している（図９（ｅ）参照）。
【００２９】
「物理チャネルＢ（ＳＣＨ）」は、基地局１０１からのみ送信されており、ダイバーシチ合成後の基地局１０１の「物理チャネルＡ（ＤＣＨ）」の送信電力に連動させて「物理チャネルＢ（ＳＣＨ）」の送信電力を制御している（図９（ｃ）、（ｄ）参照）。
【００３０】
したがって、移動局３０２において受信される「物理チャネルＢ（ＳＣＨ）」の受信品質は、一定とならず激しく変動する。すなわち「物理チャネルＢ（ＳＣＨ）」の受信品質が「物理チャネルＢの所要品質」に満たない場合が頻繁に発生し、「物理チャネルＢ（ＳＣＨ）」の通信品質が劣化している（図９（ｅ）参照）。
【００３１】
また、「物理チャネルＢ（ＳＣＨ）」の受信品質が「物理チャネルＢの所要品質」を満たす場合であっても、「物理チャネルＢ（ＳＣＨ）」の受信品質が不必要に高く、「物理チャネルＢ（ＳＣＨ）」を過剰電力で送信する場合（すなわち「過剰品質」状態）が多発している。過剰な送信電力は、電力利用効率を低下させ、更には周囲に対する干渉を増大させるため、移動通信システム全体の効率を低下させてしまう。
【００３２】
このように、従来の第２の送信電力制御方法では、移動局が「物理チャネルＡ（ＤＣＨ）」を用いてＤＨＯ中である場合、「物理チャネルＢ（ＳＣＨ）」の受信品質が劣化するという致命的な問題点があった。
【００３３】
また、かかる場合に、「物理チャネルＢ（ＳＣＨ）」の送信電力が過剰となり、電力利用効率が低下するという問題点があった。さらに、この結果、送信電力が過剰となるため干渉量を増大させ、移動通信システム全体の効率を低下させるという問題点があった。
【００３４】
そこで、本発明は、以上の点に鑑みてなされたもので、物理チャネルＢを送信する基地局群Ｂが、物理チャネルＡを送信する基地局群Ａの部分集合であるが、基地局群Ａと基地局群Ｂとが一致しない場合で、かつ、移動局が、物理チャネルＡを用いてＤＨＯ中である場合に、装置規模の大きな変更を伴わない簡単な制御によって、物理チャネルＡ及び物理チャネルＢの通信品質劣化を防止する送信電力制御方法及びこれに用いて好適な移動局を提供することを目的とする。
【００３５】
【課題を解決するための手段】
本発明に係る送信電力制御方法は、ダイバーシチハンドオーバ中に、第１の基地局及び第２の基地局からの信号を受信する移動局において、前記第１の基地局及び前記第２の基地局における前記信号の送信電力を制御するものであって、前記第１の基地局から第１の信号及び第２の信号を受信し、前記第２の基地局から第３の信号を受信する第１工程と、前記第１の信号又は前記第２の信号の受信品質を測定する第２工程と、前記受信品質の測定結果に基づいて、前記第１の基地局及び前記第２の基地局における前記信号の送信電力を制御するための制御コマンドを生成する第３工程と、前記第１の基地局及び前記第２の基地局に、前記制御コマンドを送信する第４工程とを有することを特徴とするものである。
【００３６】
かかる発明によれば、（ダイバーシチ合成されていない）第１の信号又は第２の信号の受信品質の測定結果のみに基づいて、第１の基地局における第２の信号の送信電力を制御するため、移動局が第１の信号及び第３の信号を用いてＤＨＯ中である場合であっても、第２の信号の受信品質の劣化を防ぐことができる。
【００３７】
また、かかる発明によれば、上述の理由により、第１の基地局における第２の信号の送信電力が過剰となり、電力利用効率が低下するという問題点を解決することができる。
【００３８】
さらに、かかる発明によれば、上述の理由により、送信電力が過剰となるため干渉量を増大させ、移動通信システム全体の効率を低下させるという問題点を解決することができる
上述の送信電力制御方法において、前記第１工程において、前記第２の信号を間欠的に受信し、前記第２工程において、前記第２の信号を受信している期間は、前記第１の信号又は前記第２の信号の受信品質を測定し、前記第２の信号を受信していない期間は、前記第１の信号及び前記第３の信号をダイバーシチ合成した後の信号の受信品質を測定することが好ましい。
【００３９】
この場合、第２の信号を受信していない期間は、第１の信号及び前記第３の信号をダイバーシチ合成した後の信号の受信品質測定結果に基づき、前記第１の基地局及び前記第２の基地局における前記信号の送信電力を制御するため、第２の信号を受信していない期間の送信電力を適正化できる。
【００４０】
また、この場合、受信品質測定は、従来通り１系統のみであれば良く、装置規模を大きく増すことなく、極めて簡単な制御で、品質劣化防止や送信電力低減等の大きな効果を得ることができる。
【００４１】
また、上述の送信電力制御方法において、前記第１の信号上で、前記移動局宛てに前記第２の信号が送信されていることを通知するシグナリングの有無を監視する工程を有し、前記第２工程において、前記シグナリングの有無に応じて、前記第２の信号を受信している期間であるか否かを判定することが好ましい。
【００４２】
また、上述の送信電力制御方法において、前記第２工程で、前記第２の信号を受信している期間であるか否かに応じて、前記第１の信号又は前記第２の信号に対するフィンガ割り当てと、前記第１の信号及び第３の信号に対するフィンガ割り当てとを切り替えることにより、ＲＡＫＥ受信を用いて前記受信品質を測定することが好ましい。
【００４３】
また、上述の送信電力制御方法において、前記第１の信号及び前記第３の信号は、移動局ごとに設けられている個別物理チャネル（ＤＣＨ）であり、前記第２の信号は、複数の移動局により時分割で共有されている共通物理チャネル（ＳＣＨ）であることが好ましい。
【００４４】
【発明の実施の形態】
（本発明の実施形態１に係る移動局の構成）
本発明の実施形態１に係る移動局の構成について図を参照しながら説明する。図２は、本実施形態に係る移動局３０２の概要構成を示す図である。本実施形態において、移動局３０２は、基地局１０１及び基地局１０２から「物理チャネルＡ（ＤＣＨ）」すなわち「第１の信号及び第３の信号」をそれぞれ受信し、同時に基地局１０１のみから「物理チャネルＢ（ＳＣＨ）」すなわち「第２の信号」を受信している。基地局１０１及び基地局１０２の伝搬レベルは、互いに独立なフェージングによって激しく変動している。
【００４５】
本実施形態に係る移動局３０２は、移動通信システムにおいて、基地局１０１と基地局１０２との間で「物理チャネルＡ（ＤＣＨ）」を用いてＤＨＯ中である場合に、下り方向（基地局から移動局への方向）の「物理チャネルＡ（ＤＣＨ）」及び「物理チャネルＢ（ＳＣＨ）」の双方について送信電力制御を行うものである。
【００４６】
移動局３０２は、例えば、携帯電話端末やＰＤＡ端末等によって構成されている。本実施形態において、移動局３０１乃至移動局３０５は、同一の構成を有するため、以下、移動局３０２について説明する。
【００４７】
移動局３０２は、ダイバーシチハンドオーバ（ＤＨＯ）中に、第１の基地局１０１及び第２の基地局１０２からの信号（「物理チャネルＡ（ＤＣＨ）」及び「物理チャネルＢ（ＳＣＨ）」）を受信するものである。
【００４８】
移動局３０２は、図２に示すように、具体的には、無線アンテナ３１と、送受共用器３２と、物理チャネルＡ受信機３３と、物理チャネルＡ受信情報出力部３４と、物理チャネルＢ受信機３５と、物理チャネルＢ受信情報出力部３６と、受信品質測定器３７と、比較器３８と、送信電力制御コマンド生成器３９と、送信情報入力部４０と、送信信号生成器４１と、送信機４２とを具備している。
【００４９】
本実施形態において、送受共用器３２が、第１の基地局１０１から第１の信号（「物理チャネルＡ（ＤＣＨ）」）及び第２の信号（「物理チャネルＢ（ＳＣＨ）」）を受信し、第２の基地局１０２から第３の信号（「物理チャネルＡ（ＤＣＨ）」）を受信する受信手段を構成する。
【００５０】
また、受信品質測定器３７が、第１の信号（「物理チャネルＡ（ＤＣＨ）」）又は第２の信号（「物理チャネルＢ（ＳＣＨ）」）の受信品質を測定する受信品質測定手段を構成する。また、送信電力制御コマンド生成器３９が、受信品質の測定結果に基づいて、第１の基地局１０１及び第２の基地局１０２における信号の送信電力を制御するための制御コマンド（送信電力制御コマンド）を生成する制御コマンド生成手段を構成する。
【００５１】
また、送受共用器３２と送信信号生成器４１と送信機４２とが、第１の基地局１０１及び第２の基地局１０２に、制御コマンド（送信電力制御コマンド）を送信する送信手段を構成する。
【００５２】
送受共用器３２は、無線アンテナ３１と物理チャネルＡ受信機３３と物理チャネルＢ受信機３５と受信品質測定器３７と送信機４２とに接続されており、送信機４２より送信された送信信号を、無線アンテナ３１を介して送信する機能と無線アンテナ３１を介して受信した受信信号を、物理チャネルＡ受信機３３と物理チャネルＢ受信機３５と受信品質測定器３７に転送する機能を具備するものである。本実施形態では、送受共用器３２は、基地局１０１から「物理チャネルＡ（ＤＣＨ）」及び「物理チャネルＢ（ＳＣＨ）」を受信しており、基地局１０２から「物理チャネルＡ（ＤＣＨ）」を受信している。
【００５３】
物理チャネルＡ受信機３３は、送受共用器３２と物理チャネルＡ受信情報出力部３４とに接続されており、送受共用器３２より転送された基地局１０１及び基地局１０２からの「物理チャネルＡ（ＤＣＨ）」をダイバーシチ合成し、ダイバーシチ合成した「物理チャネルＡ（ＤＣＨ）」について、逆拡散、復調、復号化等の受信処理を行い、物理チャネルＡ上で送信された「物理チャネルＡ受信情報」を再生するものである。
【００５４】
また、物理チャネルＡ受信機３３は、再生された「物理チャネルＡ受信情報」を物理チャネルＡ受信情報出力部３４に送信する。ここで「物理チャネルＡ受信情報」は、例えば、音声情報、データコンテンツ情報、制御情報等である。
【００５５】
物理チャネルＡ受信情報出力部３４は、物理チャネルＡ受信機３３に接続されており、物理チャネルＡ受信機３３より送信された物理チャネルＡ受信情報を出力するものである。物理チャネルＡ受信情報出力部３４は、物理チャネルＡ受信情報が音声情報である場合、スピーカを介して出力し、物理チャネルＡ受信情報がデータコンテンツ情報である場合、ディスプレイを介して表示する。
【００５６】
物理チャネルＢ受信機３５は、送受共用器３２と物理チャネルＢ受信情報出力部３６とに接続されており、送受共用器３２より転送された基地局１０１からの「物理チャネルＢ（ＳＣＨ）」について、逆拡散、復調、復号化等の受信処理を行い、物理チャネルＢ上で送信された「物理チャネルＢ受信情報」を再生するものである。
【００５７】
また、物理チャネルＢ受信機３５は、再生された「物理チャネルＢ受信情報」を物理チャネルＢ受信情報出力部３６に送信する。ここで「物理チャネルＢ受信情報」は、例えば、音声情報、データコンテンツ情報、制御情報等である。
【００５８】
また、「物理チャネルＢ（ＳＣＨ）」が、基地局１０１及び基地局１０２等の複数の基地局から送信される場合、物理チャネルＢ受信機３５は、受信した複数の「物理チャネルＢ（ＳＣＨ）」をダイバーシチ合成し、ダイバーシチ合成した「物理チャネルＢ（ＳＣＨ）」について受信処理を行ってもよい。
【００５９】
受信品質測定器３７は、送受共用器３２と比較器３８とに接続されており、送受共用器３２より転送された基地局１０１からの「物理チャネルＡ（ＤＣＨ）」又は（「物理チャネルＢ（ＳＣＨ）」）のみを用いて、移動局１０２における受信品質を測定するものである。ここで、測定する受信品質としては、「信号対干渉電力比（ＳＩＲ）」、「受信電力」、「ＣＲＣによる誤り検出結果」等が挙げられる。また、受信品質測定器３７は、測定した受信品質を比較器３８に送信する。
【００６０】
本実施形態では、「物理チャネルＢ（ＳＣＨ）」は、単一の基地局１０１からのみ送信されているが、本発明の適用範囲は、これに限定されるものではない。例えば、「物理チャネルＢ（ＳＣＨ）」が、複数の基地局１０１及び１０５から送信されており、「物理チャネルＡ（ＤＣＨ）」が、基地局１０１乃至１０５から送信されている場合、受信品質測定器３７は、送受共用器３２より転送された基地局１０１及び１０５からの「物理チャネルＡ（ＤＣＨ）」をダイバーシチ合成し、ダイバーシチ合成した「物理チャネルＡ（ＤＣＨ）」を用いて、移動局１０２における受信品質を測定することも可能である。
【００６１】
比較器３８は、受信品質測定器３７と送信電力制御コマンド生成器３９とに接続されており、受信品質測定器３７より送信された受信品質と、所定の目標値とを比較し、比較結果を送信電力制御コマンド生成器３９に送信するものである。
【００６２】
送信電力制御コマンド生成器３９は、比較器３８と送信信号生成器４１とに接続されており、比較器３８より送信された比較結果に応じて、基地局１０１の「物理チャネルＡ（ＤＣＨ）」及び「物理チャネルＢ（ＳＣＨ）」の送信電力と、基地局１０２の「物理チャネルＡ（ＤＣＨ）」の送信電力を制御するための「送信電力制御コマンド」を生成し、生成した「送信電力制御コマンド」を送信信号生成器４１に送信するものである。
【００６３】
例えば、「送信電力制御コマンド」は、基地局１０１からの「物理チャネルＡ（ＤＣＨ）」の受信品質（受信電力）が、目標値より小さいという比較結果であった場合、基地局１０１及び基地局１０２の「物理チャネルＡ（ＤＣＨ）」の送信電力を増やすように命令し、基地局１０１からの「物理チャネルＡ（ＤＣＨ）」の受信品質（受信電力）が、目標値より大きいという比較結果であった場合、基地局１０１及び基地局１０２の「物理チャネルＡ（ＤＣＨ）」の送信電力を減らすように命令するものである。
【００６４】
送信情報入力部４０は、送信信号生成部４１に接続されており、ユーザにより入力された送信情報を送信信号生成部４１に転送するものである。送信情報入力部４０は、例えば、プッシュボタンやタッチパネル式ディスプレイ等によって構成されている。
【００６５】
送信信号生成部４１は、送信電力制御コマンド生成器３９と送信情報入力部４０と送信機４２とに接続されており、送信電力制御コマンド生成器３９より送信された送信電力制御コマンドと、送信情報入力部４０より転送された（上り方向の）送信情報とを多重化して送信信号を生成し、生成した送信信号を送信機４２に送信するものである。
【００６６】
送信機４２は、送受共用器３２と送信信号生成部４１とに接続されており、送信信号生成部４１より送信された送信信号について、符号化、変調、拡散等の送信処理を行い、送信処理を行った送信信号を送受共用器３２に送信するものである。
【００６７】
（本発明の実施形態１に係る移動局の動作）
上記構成を有する移動局１０２の動作について、図３を参照にして説明する。図３は、本実施形態に係る移動局１０２が、基地局１０１と基地局１０２との間で「物理チャネルＡ（ＤＣＨ）」を用いてＤＨＯ中である場合に、下り方向の「物理チャネルＡ（ＤＣＨ）」及び「物理チャネルＢ（ＳＣＨ）」について送信電力制御を行う際の動作を示すフローチャート図である。
【００６８】
図３に示すように、ステップ３０１において、送受共用器３２が、無線アンテナ３１を介して、基地局１０１から「物理チャネルＡ（ＤＣＨ）」及び「物理チャネルＢ（ＳＣＨ）」を受信し、基地局１０２から「物理チャネルＡ（ＤＣＨ）」を受信し、物理チャネルＡ受信機３３と物理チャネルＢ受信機３５と受信品質測定器３７とに転送する。
【００６９】
ステップ３０２において、物理チャネルＡ受信機３３が、送受共用器３２より転送された基地局１０１及び基地局１０２からの「物理チャネルＡ（ＤＣＨ）」について、逆拡散、復調、復号化等の受信処理を行い、物理チャネルＢ上で送信された「物理チャネルＡ受信情報」を再生し、物理チャネルＡ受信情報出力部３４に送信する。また、物理チャネルＢ受信機３５が、送受共用器３２より転送された基地局１０１からの「物理チャネルＢ（ＳＣＨ）」について、逆拡散、復調、復号化等の受信処理を行い、物理チャネルＢ上で送信された「物理チャネルＢ受信情報」を再生し、物理チャネルＢ受信情報出力部３６に送信する。
【００７０】
ステップ３０３において、物理チャネルＡ受信情報出力部３４は、物理チャネルＡ受信機３３より送信された物理チャネルＡ受信情報を出力する。また、物理チャネルＢ受信情報出力部３６は、物理チャネルＢ受信機３５より送信された物理チャネルＢ受信情報を出力する。
【００７１】
ステップ３０４において、受信品質測定器３７は、送受共用器３２より転送された基地局１０１からの「物理チャネルＡ（ＤＣＨ）」又は（「物理チャネルＢ（ＳＣＨ）」）のみを用いて、移動局１０２における受信品質を測定し、測定した受信品質を比較器３８に送信する。
【００７２】
ステップ３０５において、比較器３８は、受信品質測定器３７より送信された受信品質と、所定の目標値とを比較し、比較結果を送信電力制御コマンド生成器３９に送信する。
【００７３】
ステップ３０６において、送信電力制御コマンド生成器３９は、比較器３８より送信された比較結果に応じて、基地局１０１の「物理チャネルＡ（ＤＣＨ）」及び「物理チャネルＢ（ＳＣＨ）」の送信電力と、基地局１０２の「物理チャネルＡ（ＤＣＨ）」の送信電力を制御するための「送信電力制御コマンド」を生成し、生成した「送信電力制御コマンド」を送信信号生成器４１に送信する。
【００７４】
ステップ３０７において、送信情報入力部４０は、ユーザにより入力された送信情報を送信信号生成部４１に転送する。
【００７５】
ステップ３０８において、送信信号生成部４１は、送信電力制御コマンド生成器３９より送信された送信電力制御コマンドと、送信情報入力部４０より転送された（上り方向の）送信情報とを多重化して送信信号を生成し、生成した送信信号を送信機４２に送信する。
【００７６】
ステップ３０９において、送信機４２は、送信信号生成部４１より送信された送信信号について、符号化、変調、拡散等の送信処理を行い、送信処理を行った送信信号を送受共用器３２に送信する。
【００７７】
ステップ３１０において、送受共用器３２は、送信機４２より送信された送信信号を、無線アンテナ３１を介して送信する。
【００７８】
図４は、本実施形態において、移動局３０２が、基地局１０１から送信される「物理チャネルＡ（ＤＣＨ）」及び「物理チャネルＢ（ＳＣＨ）」の送信電力と、基地局１０２から送信される「物理チャネルＡ（ＤＣＨ）」の送信電力とを制御する様子を示す図である。基地局１０１の伝搬レベル（図４（ａ））と基地局１０２の伝搬レベル（図４（ｂ））は、各々独立のフェージングによって変動している。
【００７９】
図４（ｃ）には、実線で示されている基地局１０１から移動局３０２に送信される「物理チャネルＡ（ＤＣＨ）」の送信電力と、破線で示されている基地局１０１から移動局３０２に送信される「物理チャネルＢ（ＳＣＨ）」の送信電力とが描かれている。また、図４（ｄ）には、実線で示されている基地局１０２から移動局３０２に送信される「物理チャネルＡ（ＤＣＨ）」の送信電力が描かれている。
【００８０】
移動局３０２は、従来のように、基地局群Ｂに属する基地局１０１及び基地局群Ａに属する基地局１０２の「物理チャネルＡ（ＤＣＨ）」をダイバーシチ合成した後の信号ではなく、上述のように、基地局１０１からの信号（「物理チャネルＡ（ＤＣＨ）」とする）の受信品質を測定し、測定結果に基づいて、基地局１０１及び基地局１０２の「物理チャネルＡ（ＤＣＨ）」についての送信電力制御を行っている。
【００８１】
したがって、図４（ｅ）に示すように、基地局１０１からの「物理チャネルＡ（ＤＣＨ）」の受信品質（図４（ｅ）の点線）は、所定の目標値で一定となり、基地局１０１の「物理チャネルＡ（ＤＣＨ）」の送信電力は、基地局１０１の伝搬レベルの変動（図４（ａ））を補う格好となる。
【００８２】
また、「物理チャネルＢ（ＳＣＨ）」の送信電力は、基地局１０１の「物理チャネルＡ（ＤＣＨ）」の送信電力に連動するよう制御される（図４（ｃ）参照）。したがって、移動局３０２における「物理チャネルＢ（ＳＣＨ）」の受信品質（図４（ｅ）の破線）は、所定の目標値に一致し一定となる。
【００８３】
ところで、基地局１０２の「物理チャネルＡ（ＤＣＨ）」の送信電力は、基地局１０１の「物理チャネルＡ（ＤＣＨ）」の送信電力と同様に制御される。そのため、移動局３０２では、実際のデータ受信においては、従来のように基地局１０１と基地局１０２の両局の「物理チャネルＡ（ＤＣＨ）」をダイバーシチ合成しても良い（図４（ｅ）の実線）。
【００８４】
すなわち、送信電力制御のための受信品質測定には、基地局１０１の「物理チャネルＡ（ＤＣＨ）」のみを利用し、実際のデータ受信には、基地局１０１と基地局１０２の「物理チャネルＡ（ＤＣＨ）」をダイバーシチ合成することができる。このようにデータ受信において、ダイバーシチ合成を行った場合、物理チャネルＡの受信品質は、常に所定の目標値を上回ることとなる。また、ハンドオーバが無瞬断となり、安定した通信を維持できる。
【００８５】
（本実施形態１に係る移動局による作用・効果）
本実施形態に係る移動局３０２によれば、（ダイバーシチ合成されていない）「物理チャネルＡ（ＤＣＨ）」の受信品質の測定結果のみに基づいて、基地局１０１における「物理チャネルＢ（ＳＣＨ）」の送信電力を制御するため、移動局３０２が「物理チャネルＡ（ＤＣＨ）」を用いてＤＨＯ中である場合であっても、「物理チャネルＢ（ＳＣＨ）」の受信品質の劣化を防ぐことができる。
【００８６】
また、本実施形態に係る移動局３０２によれば、上述の理由により、基地局１０１における「物理チャネルＢ（ＳＣＨ）」の送信電力が過剰となり、電力利用効率が低下するという問題点を解決することができる。
【００８７】
さらに、本実施形態に係る移動局３０２によれば、上述の理由により、送信電力が過剰となるため干渉量を増大させ、移動通信システム全体の効率を低下させるという問題点を解決することができる
（実施形態２に係る移動局の構成）
本発明の実施形態２に係る移動局の構成について図を参照しながら説明する。図５は、本実施形態に係る移動局３０２の概要構成を示す図である。
【００８８】
本実施形態において、移動局３０２は、基地局１０１及び基地局１０２から「物理チャネルＡ」すなわち「第１の信号及び第３の信号」をそれぞれ受信し、同時に基地局１０１のみから「物理チャネルＢ」すなわち「第２の信号」を受信している。
【００８９】
ここで、「物理チャネルＢ」は、複数の移動局３０１乃至３０５が、時分割的にパケットを伝送する共通チャネル「ＳＣＨ」であり、「物理チャネルＡ」は、「物理チャネルＢ（ＳＣＨ）」上に、移動局３０１乃至３０５宛てのパケットがあることを知らせる「シグナリング（通知）」用の「ＤＣＨ」である場合を例としている。
【００９０】
すなわち、移動局３０２は、基地局１０１と基地局１０２との間でＤＨＯ状態であり、基地局１０１及び基地局１０２の両局から「物理チャネルＡ（ＤＣＨ）」を受信しており、同時に基地局１０１のみから「物理チャネルＢ（ＳＣＨ）」を間欠的に受信している。また、基地局１０１及び基地局１０２の伝搬レベルは、互いに独立なフェージングによって激しく変動している。
【００９１】
本実施形態に係る移動局３０２は、移動通信システムにおいて、基地局１０１と基地局１０２との間で「物理チャネルＡ（ＤＣＨ）」を用いてＤＨＯ中である場合に、下り方向の「物理チャネルＡ（ＤＣＨ）」及び「物理チャネルＢ（ＳＣＨ）」の双方について送信電力制御を行うものである。
【００９２】
本実施形態に係る移動局３０２は、物理チャネルＡ受信機３３と物理チャネルＢ受信機３５と受信品質測定器３７とに接続されている制御回路４３を具備する点、及び、物理チャネルＡ受信情報出力部３４を具備しない点を除いて、実施形態１に係る移動局３０２と基本構成は同様である。
【００９３】
本実施形態において、制御回路４３が、第１の信号（「物理チャネルＡ（ＤＣＨ）」）上で、移動局３０２宛てに第２の信号（「物理チャネルＢ（ＳＣＨ）」）が送信されていることを通知するシグナリングの有無を監視する監視手段を構成する。
【００９４】
ただし、本実施形態に係る移動局３０２は、「物理チャネルＡ」を「シグナリング（通知）」用の「ＤＣＨ」と定義したため、物理チャネルＡ受信情報出力部３４を具備しないとしたが、もちろん、物理チャネルＡ受信情報出力部３４を具備していても構わない。
【００９５】
制御回路４３は、物理チャネルＡ受信機３３において「物理チャネルＡ（ＤＣＨ）」上のシグナリングの有無を監視しており、シグナリングを検知した場合、物理チャネルＢ受信機３５を作動させることにより、「物理チャネルＢ（ＳＣＨ）」についての受信処理を開始させるものである。
【００９６】
また、制御回路４３は、物理チャネルＡ受信機３３においてシグナリングを検知した場合、受信品質測定器３７に対して、「物理チャネルＢ（ＳＣＨ）」を送信する基地局１０１からの「物理チャネルＡ（ＤＣＨ）」又は「物理チャネルＢ（ＳＣＨ）」のみをダイバーシチ合成し、ダイバーシチ合成後の受信品質を測定するように指示する。
【００９７】
また、制御回路４３は、物理チャネルＢ受信機３５による「物理チャネルＢ（ＳＣＨ）」の受信処理が終了し、「物理チャネルＢ（ＳＣＨ）」待受状態に戻る場合は、受信品質測定器３７に対して、「物理チャネルＡ（ＤＣＨ）」を送信する全基地局１０１乃至１０２からの「物理チャネルＡ（ＤＣＨ）」をダイバーシチ合成し、ダイバーシチ合成後の受信品質を測定するように指示する。
【００９８】
また、ＣＤＭＡ方式等のＲＡＫＥ合成が可能な移動通信システムの場合、受信品質測定器３７がＲＡＫＥ合成を行う。この場合、受信品質測定器３７は、ＲＡＫＥ合成におけるフィンガを適宜切り替えることで、制御回路４３による指示に応じた（「物理チャネルＢ（ＳＣＨ）」の受信／非受信に応じた）受信品質の測定を行うことができる。
【００９９】
（本発明の実施形態２に係る移動局の動作）
上記構成を有する移動局１０２の動作について、図６を参照にして説明する。図６は、本実施形態に係る移動局１０２が、基地局１０１と基地局１０２との間で「物理チャネルＡ（ＤＣＨ）」を用いてＤＨＯ中である場合に、下り方向の「物理チャネルＡ（ＤＣＨ）」及び「物理チャネルＢ（ＳＣＨ）」について送信電力制御を行う際の動作を示すフローチャート図である。
【０１００】
ここでは、本発明の実施形態１に係る移動局１０２の動作と異なる動作についてのみ説明する。
【０１０１】
図６に示すように、ステップ６０１において、送受共用器３２が、無線アンテナ３１を介して、基地局１０１から「物理チャネルＡ（ＤＣＨ）」及び「物理チャネルＢ（ＳＣＨ）」を受信し、基地局１０２から「物理チャネルＡ（ＤＣＨ）」を受信し、物理チャネルＡ受信機３３と物理チャネルＢ受信機３５と受信品質測定器３７とに転送する。
【０１０２】
ステップ６０２において、制御回路４３は、物理チャネルＡ受信機３３において「物理チャネルＡ（ＤＣＨ）」上のシグナリングの有無を監視する。初期状態では、受信品質測定器３７は、「物理チャネルＡ（ＤＣＨ）」を送信する全基地局１０１乃至１０２からの「物理チャネルＡ（ＤＣＨ）」をダイバーシチ合成し、ダイバーシチ合成後の受信品質を測定している。
【０１０３】
ステップ６０３において、制御回路４３は、物理チャネルＡ受信機３３において「物理チャネルＡ（ＤＣＨ）」上のシグナリングを検知した場合（「ＹＥＳ」の場合）、物理チャネルＢ受信機３５を作動させることにより、「物理チャネルＢ（ＳＣＨ）」についての受信処理を開始させる。同時に、制御回路４３は、物理チャネルＡ受信機３３においてシグナリングを検知した場合（「ＹＥＳ」の場合）、受信品質測定器３７に対して、「物理チャネルＢ（ＳＣＨ）」を送信する基地局１０１からの「物理チャネルＡ（ＤＣＨ）」又は「物理チャネルＢ（ＳＣＨ）」のみをダイバーシチ合成し、ダイバーシチ合成後の受信品質を測定するように指示する。そして、本実施形態に係る移動局１０２の動作は、ステップ６０４に進む。
【０１０４】
一方、制御回路４３は、物理チャネルＡ受信機３３において「物理チャネルＡ（ＤＣＨ）」上のシグナリングを検知しない場合（「ＮＯ」の場合）、ステップ６０２に戻る。
【０１０５】
ステップ６０４において、受信品質測定器３７は、制御回路４３からの指示に応じて、受信品質の測定方法を切り替える。すなわち、受信品質測定器３７は、「物理チャネルＢ（ＳＣＨ）」を送信する基地局１０１からの「物理チャネルＡ（ＤＣＨ）」又は「物理チャネルＢ（ＳＣＨ）」のみをダイバーシチ合成し、ダイバーシチ合成後の受信品質を測定する。
【０１０６】
ステップ６０５において、制御回路４３は、物理チャネルＢ受信機３５により行われている「物理チャネルＢ（ＳＣＨ）」の受信処理の状況について監視する。
【０１０７】
ステップ６０６において、制御回路４３は、物理チャネルＢ受信機３５による「物理チャネルＢ（ＳＣＨ）」の受信処理が終了したことを検出した場合（「ＹＥＳ」の場合）、受信品質測定器３７に対して、「物理チャネルＡ（ＤＣＨ）」を送信する全基地局１０１乃至１０２からの「物理チャネルＡ（ＤＣＨ）」をダイバーシチ合成し、ダイバーシチ合成後の受信品質を測定するように指示する。そして、本実施形態に係る移動局１０２の動作は、ステップ６０７に進む。
【０１０８】
一方、制御回路４３は、物理チャネルＢ受信機３５による「物理チャネルＢ（ＳＣＨ）」の受信処理が終了したことを検出しない場合（「ＮＯ」の場合）、ステップ６０６に戻る。
【０１０９】
ステップ６０７において、受信品質測定器３７は、制御回路４３からの指示に応じて、受信品質の測定方法を切り替える。すなわち、受信品質測定器３７は、「物理チャネルＡ（ＤＣＨ）」を送信する全基地局１０１乃至１０２からの「物理チャネルＡ（ＤＣＨ）」をダイバーシチ合成し、ダイバーシチ合成後の受信品質を測定する。
【０１１０】
図７は、本実施形態において、移動局３０２が、基地局１０１から送信される「物理チャネルＡ（ＤＣＨ）」及び「物理チャネルＢ（ＳＣＨ）」の送信電力と、基地局１０２から送信される「物理チャネルＡ（ＤＣＨ）」の送信電力とを制御する様子を示す図である。基地局１０１の伝搬レベル（図７（ａ））と基地局１０２の伝搬レベル（図７（ｂ））は、各々独立のフェージングによって変動している。
【０１１１】
図７（ｃ）には、基地局１０１から移動局３０２に間欠的に送信される「物理チャネルＢ（ＳＣＨ）」の送信電力が描かれている。「物理チャネルＢ（ＳＣＨ）」は、複数の移動局１０１乃至１０５により時分割的に共有される共通チャネルであるため、このように間欠的なものとなる。
【０１１２】
また、図７（ｄ）には、実線で示されている基地局１０１から移動局３０２に送信される「物理チャネルＡ（ＤＣＨ）」の送信電力と、破線で示されている基地局１０１から移動局３０２に送信される「物理チャネルＢ（ＳＣＨ）」の送信電力とが描かれている。
【０１１３】
移動局３０２は、「物理チャネルＢ（ＳＣＨ）」を受信している期間Ｔ２中、基地局１０１からの信号（「物理チャネルＡ（ＤＣＨ）」とする）のみを用いて受信品質（「受信ＳＩＲ」）測定を行い、この測定結果（「受信ＳＩＲ」）に基づいて、送信電力制御を行っている（図７（ｄ）、（ｆ）における太い実線部分）。
【０１１４】
また、移動局３０２は、「物理チャネルＢ（ＳＣＨ）」を受信しない期間Ｔ１中、基地局１０１と基地局１０２の両方の「物理チャネルＡ（ＤＣＨ）」をダイバーシチ合成し、ダイバーシチ合成後の受信品質（「受信ＳＩＲ」）を測定し、この測定結果（「受信ＳＩＲ」）に基づいて、送信電力制御を行っている（図７（ｄ）、（ｆ）における細い実線部分）。
【０１１５】
このように、移動局３０２は、「物理チャネルＢ（ＳＣＨ）」の受信／非受信に応じて、基地局１０１の「物理チャネルＡ（ＤＣＨ）」と、基地局１０１及び基地局１０２の「物理チャネルＡ（ＤＣＨ）」のダイバーシチ合成後の「物理チャネルＡ（ＤＣＨ）」との間で、受信品質（「受信ＳＩＲ」）の測定対象を切り替えている。
【０１１６】
この際、基地局１０１は、図７（ｄ）に示すように、「物理チャネルＢ（ＳＣＨ）」の送信電力を、基地局１０１の「物理チャネルＡ（ＤＣＨ）」の送信電力に連動するように制御する。
【０１１７】
上述の切り替えは、ＲＡＫＥ受信が可能な移動通信システムでは、ＲＡＫＥ受信におけるフィンガを切り替えることで簡単に実現可能である。すなわち、受信品質測定においてＲＡＫＥ合成を行い、「物理チャネルＢ（ＳＣＨ）」を受信している期間Ｔ２中は「物理チャネルＢ（ＳＣＨ）」を送信する基地局１０１の信号に対してのみフィンガを割り当て、「物理チャネルＢ（ＳＣＨ）」を受信している期間Ｔ２中は、ＤＨＯを構成する全基地局１０１及び１０２からの信号にフィンガを割り当てるように、切り替えを制御すれば良い。
【０１１８】
また、図７（ｅ）には、実線で示されている基地局１０２から移動局３０２に送信される「物理チャネルＡ（ＤＣＨ）」の送信電力が描かれている。移動局３０２は、基地局１０１から移動局３０２に送信される「物理チャネルＡ（ＤＣＨ）」に対する送信電力制御と同様に、基地局１０２から移動局３０２に送信される「物理チャネルＡ（ＤＣＨ）」に対する送信電力制御を行っている。
【０１１９】
さらに、図７（ｆ）には、基地局１０１から移動局３０２に送信される「物理チャネルＡ（ＤＣＨ）」の受信ＳＩＲと、基地局１０１から移動局３０２に送信される「物理チャネルＢ（ＳＣＨ）」の受信ＳＩＲと、基地局１０１及び基地局１０２から移動局３０２に送信される「物理チャネルＡ（ＤＣＨ）」のダイバーシチ合成後の受信ＳＩＲとが描かれている。
【０１２０】
期間Ｔ２において、上述の「物理チャネルＢ（ＳＣＨ）」の受信ＳＩＲが一定であり、「物理チャネルＢ（ＳＣＨ）」の品質劣化を回避できる（図７（ｆ）の破線部分）。
【０１２１】
また、期間Ｔ１において、上述の基地局１０１及び基地局１０２から移動局３０２に送信される「物理チャネルＡ（ＤＣＨ）」のダイバーシチ合成後の受信ＳＩＲが一定であり、「物理チャネルＡ（ＤＣＨ）」の品質劣化を回避できる（図７（ｆ）の細い実線部分）。
【０１２２】
また、期間Ｔ２において、ダイバーシチ合成後の「物理チャネルＡ（ＤＣＨ）」の受信ＳＩＲが必要以上に大きくなり、「物理チャネルＡ（ＤＣＨ）」の送信電力が過大となる場合があるが（図７（ｆ）の太い実線部分）、この現象が生じるのは「物理チャネルＢ（ＳＣＨ）」を受信中の限られた移動局３０２のみであり、従来技術における「物理チャネルＢ（ＳＣＨ）」の品質が劣化するという致命的な問題点は解決されている。
【０１２３】
ここで、点線部分は、期間Ｔ１において基地局１０１から移動局３０２に送信される「物理チャネルＡ（ＤＣＨ）」の受信ＳＩＲである。
【０１２４】
ところで、本実施形態のように、「物理チャネルＢ（ＳＣＨ）」の送信が、「物理チャネルＡ（ＤＣＨ）」によってシグナリングされる場合は、「物理チャネルＡ（ＤＣＨ）」上のシグナリングを受けた時点で、受信品質（受信ＳＩＲ）の測定対象を切り替えれば良い。また、「物理チャネルＡ（ＤＣＨ）」ではなく、別の共通チャネルなどを用いてシグナリングを行う移動通信システムにおいても、シグナリングを受けた時点で、受信品質（受信ＳＩＲ）の測定対象を切り替えれば良い。したがって、シグナリングの方法によらず、本発明を適用することができ、何れの場合も同様な効果を得ることができる。
【０１２５】
（本実施形態２に係る移動局の作用・効果）
本実施形態に係る移動局３０２によれば、「物理チャネルＢ（ＳＣＨ）」を受信していない期間Ｔ２は、「物理チャネルＡ（ＤＣＨ）」をダイバーシチ合成した後の信号の受信品質測定結果に基づき、基地局１０１及び基地局１０２における「物理チャネルＡ（ＤＣＨ）」及び「物理チャネルＢ（ＳＣＨ）」の送信電力を制御するため、「物理チャネルＢ（ＳＣＨ）」を受信していない期間Ｔ２の送信電力を適正化できる。
【０１２６】
また、本実施形態に係る移動局３０２によれば、受信品質測定器３７は、従来通り１系統のみであれば良く、装置規模を大きく増すことなく、極めて簡単な制御で、品質劣化防止や送信電力低減等の大きな効果を得ることができる。
【０１２７】
【発明の効果】
以上説明したように本発明によれば、「物理チャネルＢ（ＳＣＨ）」を送信する基地局群１０１が、「物理チャネルＡ（ＤＣＨ）」を送信する基地局群１０１乃至１０５の部分集合であるが、基地局群１０１と基地局群１０１乃至１０５とが一致しない場合で、かつ、移動局３０２が、「物理チャネルＡ（ＤＣＨ）」を用いてＤＨＯ中である場合に、装置規模の大きな変更を伴わない簡単な制御によって、「物理チャネルＡ（ＤＣＨ）」及び「物理チャネルＢ（ＳＣＨ）」の通信品質劣化を防止する送信電力制御方法及びこれに用いて好適な移動局を提供することができる。
【図面の簡単な説明】
【図１】本発明の一実施形態に係る移動体通信システムの概略構成図である。
【図２】本発明の一実施形態に係る移動局の概略構成図である。
【図３】本発明の一実施形態に係る移動局の動作を示すフローチャート図である。
【図４】本発明の一実施形態における送信電力制御の様子を示す図である。
【図５】本発明の一実施形態に係る移動局の概略構成図である。
【図６】本発明の一実施形態に係る移動局の動作を示すフローチャート図である。
【図７】本発明の一実施形態における送信電力制御の様子を示す図である。
【図８】従来技術に送信電力制御の様子を示す図である。
【図９】従来技術に送信電力制御の様子を示す図である。
【符号の説明】
１、２、３、４、５…セル
１０１、１０２、１０３、１０４、１０５…基地局
３０１、３０２、３０３、３０４、３０５…移動局
３１…無線アンテナ
３２…送受共用器
３３…物理チャネルＡ受信機
３４…物理チャネルＡ受信情報出力部
３５…物理チャネルＢ受信機
３６…物理チャネルＢ受信情報出力部
３７…受信品質測定器
３８…比較器
３９…送信電力制御コマンド生成器
４０…送信情報入力部
４１…送信信号生成器
４２…送信機
４３…制御回路
【図１】
0003898018.tif 000002
【図２】
0003898018.tif 000003
【図３】
0003898018.tif 000004
【図４】
0003898018.tif 000005
【図５】
0003898018.tif 000006
【図６】
0003898018.tif 000007
【図７】
0003898018.tif 000008
【図８】
0003898018.tif 000009
【図９】
0003898018.tif 000010